(57)【要約】【課題】袋を開口状態に装着することが容易であるうえ、開口保持した袋の開口端を常時開き方向に弾力付勢される開口保持機構により確実に開口保持でき、また開口保持した袋の取り外しも容易な袋の開口保持装置を提供する。【解決手段】袋の開口保持装置１は、袋をその開口端を開口状態に保持して吊り下げるものである。袋の開口端を被せてその袋の開口端を開口形状に保持する開口保持機構２を有する。開口保持機構２は、袋の開口端を被せて開き方向に操作すると輪郭が拡張方向に弾力付勢され、かつ閉じ方向に操作することにより輪郭が縮小係止される拡縮機能を備えている。袋保持機構２は、自立スタンド３の上端部に備えられている。袋保持機構２は、輪郭が略円弧状をなす２つ割りリング部７，７とそれを自立スタンド３に取り付けるアーム部８，８とで構成されている。【選択図】　　　　図１
2004123218.tif 000002
【特許請求の範囲】
【請求項１】
袋をその開口端を開口状態に保持して吊り下げる袋開口保持装置であって、袋の開口端を被せてその袋の開口端を開口形状に保持する開口保持機構を有し、この開口保持機構は、袋の開口端を被せて開き方向に操作すると輪郭が拡張方向に弾力付勢され、かつ閉じ方向に操作することにより輪郭が縮小係止される拡縮機能を備えていることを特徴とする袋の開口保持装置。
【請求項２】
袋保持機構は、自立スタンドの上端部に備えられたいることを特徴する請求項１記載の袋保持装置。
【請求項３】
袋保持機構は、輪郭が略円弧状をなす２つ割りリング部とそれを自立スタンドに取り付けるアーム部とで構成されており、アーム部には２つ割リング部を開き方向に弾力付勢するバネと閉じた状態に係止するストッパー部を備えていることを特徴する請求項２記載の袋開口保持装置。
【請求項４】
リング部はその上下方向に膨らんだ形状であることを特徴とする請求項３記載の袋保持装置。
【請求項５】
自立スタンドは、その高さが伸縮調節自在であることを特徴とする請求項２または３記載の袋の開口保持装置。
【発明の詳細な説明】
【０００１】
【発明の属する技術分野】
本発明は、穀物などの粒状物、小麦粉などの粉状物その他のものを袋詰めするときに用いる袋の開口保持装置に関するものである。
【０００２】
【従来の技術】
穀物などを袋詰めにあたって用いる袋の開口保持装置は、例えば特開２００１−３５４２１６号公報、特開２０００−６２７４０号公報に記載されており、また、ゴミ袋を開口保持する装置は、特開平１０−７２１０１号公報、特開２００２−４６８０３号公報に記載されている。
【０００３】
【発明が解決しようとする課題】
ところで、前掲の特開２００１−３５４２１６号公報、特開２００２−４６８０３号公報または特開２０００−６２７４０号公報に記載されている袋の開口装置にあっては、袋の開口端の２箇所を挟んで開口状態にしたり、袋の開口端の一部を腕状体で支持するものであるから、袋内の重量が増すにしたがって袋の開口端が次第に狭まってしまう欠点がある。
【０００４】
また、前掲の特開平１０−７２１０１号公報に記載されている袋の開口保持装置にあっては、袋の開口端を開口して被せるリングを備えているので、袋の開口端はリングに取り付けた止め具で挟むものであるから、袋内の重量が増すと袋の開口端が止め具から外れることがあり、そのような場合にはやはり袋の開口端が狭まってしまうので、前述のような欠点は何ら解消されていないものである。
【０００５】
本発明は、袋を開口状態に装着することが容易であるうえ、開口保持した袋の開口端を常時開き方向に弾力付勢される開口保持機構により確実に開口保持できて、袋内の重量が増しても袋の開口端が外れたり狭まったりすることがなく、また、開口保持機構を簡単に縮小保持できて、開口保持した袋の取り外しも容易な袋の開口保持装置を提供することを目的とするものである。
【０００６】
【課題を解決するための手段】
上記目的を達成するため、本発明は請求項１ないし５に係る袋の開口保持装置を提供する。すなわち、請求項１に係る袋の開口保持装置は、袋をその開口端を開口状態に保持して吊り下げる袋開口保持装置であって、袋の開口端を被せてその袋の開口端を開口形状に保持する開口保持機構を有し、この開口保持機構は、袋の開口端を被せて開き方向に操作すると輪郭が拡張方向に弾力付勢され、かつ閉じ方向に操作することにより輪郭が縮小係止される拡縮機能を備えていることを特徴とするものである。
【０００７】
また、請求項２に係る袋の開口保持装置は、請求項１記載の袋保持装置において、袋保持機構は、自立スタンドの上端部に備えられたいることを特徴するものである。
【０００８】
請求項３に係る袋の開口保持装置は、請求項２記載の袋開口保持装置において、袋保持機構は、輪郭が略円弧状をなす２つ割りリング部とそれを自立スタンドに取り付けるアーム部とで構成されており、アーム部には２つ割リング部を開き方向に弾力付勢するバネと閉じた状態に係止するストッパー部を備えていることを特徴するものである。
【０００９】
請求項４に係る袋の開口保持装置は、請求項３記載の袋開口保持装置において、リング部はその上下方向に膨らんだ形状であることを特徴とするものである。
【００１０】
請求項５に係る袋の開口保持装置は、請求項２または３記載の袋開口保持装置において、自立スタンドは、その高さが伸縮調節自在であることを特徴とするものである。
【００１１】
【発明の実施の形態】
図面は本発明の一実施の形態に係る袋の開口保持装置を示すものであって、図１は全体斜視図、図２は保持機構の輪郭を縮小した態様の全体斜視図、図３は保持機構のリング部に袋の開口端を被せて開口保持した態様の全体斜視図、図４は袋の開口保持装置の平面図、図５は図４の一部詳細平面図、図６は同上開口保持機構のリング部の輪郭を拡張した態様の一部詳細平面図、図７は開口保持した袋に穀物などを袋詰めする態様を示す全体斜視図である。
【００１２】
図１において、１は本発明に係る袋の開口保持装置である。この袋の開口保持装置１は、開口保持機構２と自立スタンド３からなる。自立スタンド３は、基台４と、基台４のに立設した支柱５と、支柱５からなり、支柱５は伸縮調節自在であり、６は固定ネジである。開口保持機構２は、輪郭が略円弧状をなす２つ割りリング部７，７と、それをスタンド３の支柱４の上端部に取り付けるアーム部８，８とで構成されており、アーム部８，８には２つ割リング部７，７を開き方向に弾力付勢する引っ張りバネ９と、閉じた状態に係止するストッパー部１０を備えているものである。リング部７，７はその上下方向に膨らんだ形状であり、１１，１１はその膨らみ頂部である。
【００１３】
開口保持機構２のアーム部８，８は、自立スタンド３の支柱５の上端部に設けた軸止部１２に、開閉自在に軸止されており、その軸止部１２を取り巻いて両方のアーム部８，８のバネ掛け突起１３，１３間には、前記引っ張りバネ９が掛けられていて、アーム部８，８は開き方向に弾力付勢されている。したがって、アーム部８．８と一体をなす２つ割リング部７，７はその輪郭が拡張する方向に弾力付勢されている。ストッパー部１０は、軸止部１２に遊嵌されていて、圧縮バネ１４によってアーム部８，８の長手方向に少しだけ可動状態をなし、圧縮バネ１４の弾力によって前方に弾力付勢されているものである。１５，１５は係止部であり、この係止部１５，１５にはアーム部８，８の係止ピン１６，１６が、リング部７，７の輪郭を縮小してアーム部８，８が閉じた位置で係止してその状態が保持される。そして、リング部７，７を指で開く方向に少し操作すると、係止ピン１６，１６が係止部１５，１５から外れ、リング部７，７が引っ張りバネ１３によりリング部７，７の輪郭が拡張する状態に弾力付勢されるようになっている。ストッパ部１０には、リング部７，７の最大開き角規制のための係止段部１７，１７があり、この係止段部１７，１７に係止ピン１６，１６が係止してリング部７，７の開き角が規制される。
【００１４】
本発明に係る袋の開口保持装置１において、袋１８を開口保持するには、開口保持機構２のリング部７．７をその輪郭が縮小する方向に指で操作し、ストッパー部１０にその状態を保持させる。そして、袋１８をその開口端を指で開口させて輪郭を縮小しているリング部７，７に緩く被せたうえ、袋１８の開口端を摘んでいる指をリング部７，７の内側に掛けてその輪郭が拡張する方向に少し操作すれば、ストッパー部１０の係止部１５，１５から係止ピン１６，１６が外れるので、リング部７，７は袋１７の開口端を開く方向に弾力付勢して、リング部７，７に袋１８が開口状態に確実に保持される。この状態においては袋１８の開口端は、リング部７，７の膨らみ頂部１１，１１によりずり落ちが生じないように保持される。
【００１５】
上記のように開口保持した袋１８を保持機構２のリング部７，７から外す際には、指を袋１８の開口端の外側とリング部７，７の内側に掛かるように摘み、リング部７，７をその輪郭が縮小する方向に操作すれば、リング部７，７はストッパー部１０によって輪郭が縮小した状態に係止保持される。このためリング部７．７と袋１８の開口端との間に緩みが生じるので、袋１８を容易に外すことができる。
【００１６】
本発明に係る袋の開口保持装置１は、種々のものの袋詰めに用いることができるが、玄米あるいは白米などの穀物の袋詰め用として、穀物の計量袋詰機に併用することができるほか、図７に示すように、穀物掬い器１９による袋詰めに用いることができる。また、種籾の場合には、その塩水選や温湯消毒した場合には、種籾が水分を多く含んでいるので、図７に示すように、穀物掬い器１９が多孔状であるものが好適である。すなわち、穀物掬い器１９が多孔状であることによって、それで水切りがなされるので大いに便利である。このように袋１８が種籾用の場合は、その袋１８は網袋である。
【００１７】
本発明に係る袋の開口保持装置１は、その他にゴミ袋の開口保持用としても便利である。このように本発明に係る袋の開口保持装置１は、汎用性の高いものであるが、開口保持できる袋は、紙袋、布袋、ポリエチレン袋、網袋などその種類を特に問わないし、また自立スタンド３は高さ調節自在であるから、容量の異なる袋にも対応することができるものである。
【００１８】
【発明の効果】
本発明によれば、袋を開口状態に装着することが容易であるうえ、開口保持した袋の開口端を常時開き方向に弾力付勢される開口保持機構により確実に開口保持できて、袋内の重量が増しても袋の開口端が外れたり狭まったりすることがなく、また、開口保持機構を簡単に縮小保持できて、開口保持した袋の取り外しも容易な袋の開口保持装置を提供することができる。
【図面の簡単な説明】
【図１】本発明の一実施の形態に係る袋の開口保持装置を示す全体斜視図である。
【図２】保持機構の輪郭を縮小した態様の全体斜視図である。
【図３】保持機構のリング部に袋の開口端を被せて開口保持した態様の全体斜視図である。
【図４】袋の開口保持装置の平面図である。
【図５】図４の一部詳細平面図である。
【図６】同上開口保持機構のリング部の輪郭を拡張した態様の一部詳細平面図である。
【図７】開口保持した袋に穀物などを袋詰めする態様を示す全体斜視図である。
【符号の説明】
１　袋の開口保持装置
２　開口保持機構
３　自立スタンド
４　基台
５　支柱
６　固定ネジ
７，７　リング部
８，８　アーム部
９　引っ張りバネ
１０　ストッパー部
１１，１１　膨らみ頂部
１２　軸止部
１３，１３　バネ掛け突起
１４　圧縮バネ
１５，１５　係止部
１６，１６　係止ピン
１７，１７　係止段部
１８　袋
１９　穀物掬い器
【図１】
2004123218.tif 000003
【図２】
2004123218.tif 000004
【図３】
2004123218.tif 000005
【図４】
2004123218.tif 000006
【図５】
2004123218.tif 000007
【図６】
2004123218.tif 000008
【図７】
2004123218.tif 000009